(57)【要約】      （修正有）【課題】入力操作のみならず本体の全体的な変形を検出することが可能なセンサ装置、入力装置及び電子機器を提供する。【解決手段】センサ装置１２０は、本体と、第１のセンサ部と、第２のセンサ部とを具備する。本体は、入力操作面１１と、入力操作面１１に対向する底面１２とを有し、変形可能なシート状に構成される。第１のセンサは、入力操作に基づく入力操作面１１の局所的な変形を検出する。第２のセンサは、入力操作面の全体的な変形を検出する。【選択図】図３
2016151788.tif 000002
【特許請求の範囲】
【請求項１】
入力操作面と、前記入力操作面に対向する底面とを有し、変形可能なシート状の本体と、
入力操作に基づく前記入力操作面の局所的な変形を検出することが可能な第１のセンサ部と、
前記入力操作面の全体的な変形を検出ことが可能な第２のセンサ部と
を具備するセンサ装置。
【請求項２】
請求項１に記載のセンサ装置であって、
前記本体は、前記入力操作面と前記底面との間に配置された電極層をさらに有し、
前記第１のセンサ部は、前記電極層に形成され前記入力操作面との相対距離に応じて容量が可変の第１の容量素子を有し、
前記第２のセンサ部は、前記電極層に形成され前記入力操作面との相対距離に応じて容量が可変の第２の容量素子を有する
センサ装置。
【請求項３】
請求項２に記載のセンサ装置であって、
前記本体は、
前記電極層に対向する導体層を含み、前記入力操作面が形成された操作部材をさらに有し、
前記第１の容量素子は、前記導体層との距離の変化を静電的に検出することが可能に構成され、
前記第２の容量素子は、前記導体層との距離の変化を静電的に検出することが可能に構成される
センサ装置。
【請求項４】
請求項１に記載のセンサ装置であって、
前記本体は、前記底面が形成された底面板をさらに有し、
前記底面は、前記入力操作面よりも変形しにくい構成を有する
センサ装置。
【請求項５】
請求項１に記載のセンサ装置であって、
前記第２のセンサ部は、前記入力操作面と平行な一軸方向に延在する
センサ装置。
【請求項６】
請求項１に記載のセンサ装置であって、
前記入力操作面は、
前記第１のセンサ部に対応して配置された第１の領域と、
前記第２のセンサ部に対応して配置され、前記第１の領域よりも変形しにくい第２の領域とを有する
センサ装置。
【請求項７】
請求項６に記載のセンサ装置であって、
前記第２の領域上に配置され、前記第２の領域への押圧を防止する押圧防止部をさらに具備する
センサ装置。
【請求項８】
請求項１に記載のセンサ装置であって、
前記本体は、前記入力操作面の曲率がそれぞれ異なる第１の形状モードと第２の形状モードとを切替可能に構成された切替部をさらに有する
センサ装置。
【請求項９】
入力操作面と、前記入力操作面に対向する底面とを有し、変形可能なシート状の本体と、
入力操作に基づく前記入力操作面の局所的な変形を検出することが可能な第１のセンサ部と、
前記入力操作面の全体的な変形を検出ことが可能な第２のセンサ部と、
前記第２のセンサ部からの出力に基づいて前記入力操作面の全体的な変形量を検出し、前記変形量と前記第１のセンサ部からの出力とに基づいて前記入力操作に関する入力操作情報を生成することが可能な制御部と
を具備する入力装置。
【請求項１０】
請求項９に記載の入力装置であって、
前記制御部は、前記変形量が第１の変形量未満の場合、前記入力操作情報を生成し、前記変形量が前記第１の変形量以上の場合、警告を発することが可能な信号を生成する
入力装置。
【請求項１１】
請求項９に記載の入力装置であって、
前記制御部は、
前記変形量に基づいて前記入力操作面の全体的な変形により前記入力操作面に付加された圧力値を算出し、
前記圧力値に基づいて前記第１のセンサ部からの出力を補正し、前記入力操作面に付加された真の押圧力を算出することで前記入力操作情報を生成する
入力装置。
【請求項１２】
入力操作面と、前記入力操作面に対向する底面とを有し、変形可能なシート状の本体と、
入力操作に基づく前記入力操作面の局所的な変形を検出することが可能な第１のセンサ部と、
前記入力操作面の全体的な変形を検出ことが可能な第２のセンサ部と、
前記第２のセンサ部からの出力に基づいて前記入力操作面の全体的な変形量を検出し、前記変形量と前記第１のセンサ部からの出力とに基づいて前記入力操作に関する情報を生成することが可能な制御部と
を有する入力装置と、
前記入力装置に接続され、前記入力操作に関する情報に基づく画像が表示されることが可能な表示装置と
を具備する電子機器。
【発明の詳細な説明】
【技術分野】
【０００１】
本技術は、入力操作を検出することが可能なセンサ装置、入力装置及び電子機器に関する。
【背景技術】
【０００２】
電子機器用のセンサ装置として、入力操作面に対する操作位置や押圧力を検出することが可能な構成が知られている。例えば特許文献１には、表示デバイスとしての機能を有するタッチパネルにソフトウェアキーボード等のＧＵＩ部品を表示し、表示されたキーをタッチすることで当該キーを表示する入力デバイスが開示されている。
【先行技術文献】
【特許文献】
【０００３】
【特許文献１】特開２０１２−１４６２６７号公報
【発明の概要】
【発明が解決しようとする課題】
【０００４】
一方で、近年、ＰＣ（Personal Computer）やモバイル情報機器の薄型化が図られている。それに伴い、入力装置全体が変形する可能性があった。
【０００５】
以上のような事情に鑑み、本技術の目的は、入力操作のみならず入力操作面の全体的な変形を検出することが可能なセンサ装置、入力装置及び電子機器を提供することにある。
【課題を解決するための手段】
【０００６】
以上の目的を達成するため、本技術の一形態に係るセンサ装置は、本体と、第１のセンサ部と、第２のセンサ部とを具備する。
上記本体は、入力操作面と、上記入力操作面に対向する底面とを有し、変形可能なシート状に構成される。
上記第１のセンサは、入力操作に基づく上記入力操作面の局所的な変形を検出することが可能に構成される。
上記第２のセンサは、上記入力操作面の全体的な変形を検出ことが可能に構成される。
【０００７】
上記センサ装置によれば、入力操作面の局所的な変形とは別に、入力操作面の全体的な変形を検出することができる。これにより、入力操作面に対する押圧操作とは別に、本体の全体的な変形を検出することができる。
【０００８】
また、上記本体は、上記入力操作面と上記底面との間に配置された電極層をさらに有し、
上記第１のセンサ部は、上記電極層に形成され上記入力操作面との相対距離に応じて容量が可変の第１の容量素子を有し、
上記第２のセンサ部は、上記電極層に形成され上記入力操作面との相対距離に応じて容量が可変の第２の容量素子を有していてもよい。
【０００９】
これにより、入力操作面の変形を静電的に検出することができる。
【００１０】
さらに、上記本体は、
上記電極層に対向する導体層を含み、上記入力操作面が形成された操作部材をさらに有し、
上記第１の容量素子は、上記導体層との距離の変化を静電的に検出することが可能に構成され、
上記第２の容量素子は、上記導体層との距離の変化を静電的に検出することが可能に構成されてもよい。
【００１１】
すなわち、上記センサ装置は、導電性の操作子と第１及び第２の容量素子の容量結合に基づいて入力操作面の変形を検出する構成ではなく、導体層と第１及び第２の容量素子の容量結合に基づいて入力操作面の変形を検出する構成とすることができる。これにより、操作子が絶縁性の場合や、操作子の接触面積が小さい場合等でも、入力操作面の押圧に基づいて精度よく変形を検出することができる。
【００１２】
また、上記本体は、上記底面が形成された底面板をさらに有し、
上記底面は、上記入力操作面よりも変形しにくい構成を有してもよい。
【００１３】
これにより、本体全体の強度を高めることができるとともに、相対的に入力操作面を変形しやすい構成とすることができる。
【００１４】
また、上記第２のセンサ部は、上記入力操作面と平行な一軸方向に延在してもよい。
【００１５】
上記第２のセンサ部により、上記一軸方向に沿った変形を精度よく検出することが可能となる。
【００１６】
また、上記入力操作面は、
上記第１のセンサ部に対応して配置された第１の領域と、
上記第２のセンサ部に対応して配置され、上記第１の領域よりも変形しにくい第２の領域とを有してもよい。
【００１７】
上記第２の領域により、入力操作面中に押圧等によって局所的に変形しにくい領域を形成することができる。したがって、第２のセンサ部が、入力操作面の全体的な変形のみ検出することが容易になる。
【００１８】
さらに、上記センサ装置は、上記第２の領域上に配置され、上記第２の領域への押圧を防止する押圧防止部をさらに具備してもよい。
【００１９】
上記押圧防止部により、第２の領域の局所的な変形を防止することができる。
【００２０】
あるいは、上記本体は、上記入力操作面の曲率がそれぞれ異なる第１の形状モードと第２の形状モードとを切替可能に構成された切替部をさらに有してもよい。
【００２１】
上記切替部により、ユーザの使用態様に応じて本体の形状を切り替えることが可能となる。
【００２２】
また、本技術の他の形態に係る入力装置は、本体と、第１のセンサ部と、第２のセンサ部と、制御部とを具備する。
上記本体は、入力操作面と、上記入力操作面に対向する底面とを有し、変形可能なシート状に構成される。
上記第１のセンサは、入力操作に基づく上記入力操作面の局所的な変形を検出することが可能に構成される。
上記第２のセンサは、上記入力操作面の全体的な変形を検出ことが可能に構成される。
上記制御部は、上記第２のセンサ部からの出力に基づいて上記入力操作面の全体的な変形量を検出し、上記変形量と上記第１のセンサ部からの出力とに基づいて上記入力操作に関する入力操作情報を生成することが可能に構成される。
【００２３】
また、上記制御部は、上記変形量が所定の変形量未満の場合、上記入力操作情報を生成し、上記変形量が上記所定の変形量以上の場合、警告を発するための信号を生成してもよい。
【００２４】
上記制御部により、入力操作面が変形された場合に警告を発することができ、本体の破損を防止することができる。
【００２５】
あるいは、上記制御部は、
上記変形量に基づいて上記入力操作面の全体的な変形により上記入力操作面に付加された圧力値を算出し、
上記圧力値に基づいて上記第１のセンサ部からの出力を補正し、上記入力操作面に付加された真の押圧力を算出することで上記入力操作情報を生成してもよい。
【００２６】
これにより、入力操作面が全体的に変形している状態で入力操作された場合であっても、誤動作することがなく、適切な入力操作情報を生成することができる。
【００２７】
本技術のさらに他の形態に係る電子機器は、入力装置と、表示装置とを具備する。
上記入力装置は、本体と、第１のセンサ部と、第２のセンサ部と、制御部とを具備する。
上記本体は、入力操作面と、上記入力操作面に対向する底面とを有し、変形可能なシート状に構成される。
上記第１のセンサは、入力操作に基づく上記入力操作面の局所的な変形を検出することが可能に構成される。
上記第２のセンサは、上記入力操作面の全体的な変形を検出ことが可能に構成される。
上記制御部は、上記第２のセンサ部からの出力に基づいて上記入力操作面の全体的な変形量を検出し、上記変形量と上記第１のセンサ部からの出力とに基づいて上記入力操作に関する入力操作情報を生成することが可能に構成される。
上記表示装置は、上記入力装置に接続され、上記入力操作に関する情報に基づく画像が表示されることが可能に構成される。
【発明の効果】
【００２８】
以上のように、本技術によれば、入力操作のみならず入力操作面の全体的な変形を検出することが可能なセンサ装置、入力装置及び電子機器を提供することができる。
なお、ここに記載された効果は必ずしも限定されるものではなく、本開示中に記載されたいずれかの効果であってもよい。
【図面の簡単な説明】
【００２９】
【図１】本技術の第１の実施形態に係る電子機器の構成を示す模式的な図である。
【図２】上記電子機器に含まれる入力装置（センサ装置）の構成を示す概略平面図である。
【図３】図２のＡ−Ａ方向から見た断面図である。
【図４】図３の拡大断面図である。
【図５】上記入力装置の入力操作面の第１の領域（キー領域）を指で押圧した態様を示す拡大平面図である。
【図６】図５の矢印方向から見た断面図である。
【図７】上記入力操作面の第２の領域（検出領域）を指で押圧しようとした態様を示す拡大平面図である。
【図８】図７の矢印方向から見た断面図である。
【図９】図９Ａは、図２のＢ−Ｂ方向から見た概略断面図であり、図９Ｂは、図９Ａに示す上記入力装置の本体が全体的に湾曲した態様の概略断面図である。
【図１０】図１０Ａは図２のＣ−Ｃ方向から見た概略断面図であり、図１０Ｂは、図１０Ａに示す本体が全体的に湾曲した態様の概略断面図である。
【図１１】上記入力装置の制御部の動作例を示すフローチャートである
【図１２】変形例１−２に係る入力装置（センサ装置）の構成を示す概略平面図である。
【図１３】変形例１−４に係る入力装置（センサ装置）の構成を示す概略平面図である。
【図１４】変形例１−５に係る入力装置（センサ装置）の構成を示す概略平面図である。
【図１５】本技術の第２の実施形態に係る入力装置（センサ装置）の構成を示す概略平面図である。
【図１６】図１５のＸ軸方向から見た要部断面図である。
【図１７】上記入力装置の入力操作面の検出領域を指で押圧しようとした態様のＹ軸方向から見た要部断面図である。
【図１８】図１５のＤ−Ｄ方向から見た概略断面図であり、上記入力装置の本体が全体的に湾曲した態様を示す。
【図１９】変形例２−２に係る入力装置（センサ装置）の構成を示す概略平面図である。
【図２０】本技術の第３の実施形態に係る入力装置（センサ装置）の構成を示す概略平面図である。
【図２１】上記入力装置のＸ軸方向から見た要部断面図である。
【図２２】上記入力装置の制御部の動作例を示すフローチャートである。
【図２３】本技術の第４の実施形態に係る入力装置（センサ装置）の第１の形状モードの構成を示す図である。
【図２４】上記入力装置（センサ装置）の第２の形状モードの構成を示す図である。
【発明を実施するための形態】
【００３０】
以下、本技術に係る実施形態を、図面を参照しながら説明する。なお図において、Ｘ軸方向、Ｙ軸方向、及びＺ軸方向は、それぞれ直交する３軸方向を示し、入力装置１００の非変形時において、Ｘ軸方向及びＹ軸方向は面内方向、Ｚ軸方向は厚み方向（上下方向）を示す。
【００３１】
＜第１の実施形態＞
［電子機器の概略構成］
図１は、本実施形態に係る電子機器１の構成を示す模式的な図である。同図に示すように、電子機器１は、入力装置１００と、表示装置１１０とを備える。
電子機器１は、本実施形態においてタブレットＰＣ（Personal Computer）として構成される。この場合、電子機器１は、入力装置１００と表示装置１１０とが接続されたＰＣモードと、表示装置１１０のみでタブレットと同様に使用できるタブレットモードとを切替可能に構成されてもよい。なお、図１は、ＰＣモードにおける電子機器１を示している。
【００３２】
表示装置１１０は、入力装置１００に接続され、入力操作に関する情報に基づく画像が表示されることが可能に構成される。表示装置１１０は、具体的には、入力部を有するタッチパネル式の表示パネルＤを備える。表示パネルＤは、具体的には、液晶ディスプレイや有機ＥＬ（Electro Luminescence）ディスプレイ、表面電界ディスプレイ等で構成され得る。当該入力部は、例えば、抵抗膜型、静電容量型、その他各種のタッチパネル式の入力装置として構成され得る。
表示装置１１０は、上述のタブレットモードにおいては単独で携帯情報端末として用いられ得る。この場合、表示装置１１０は、図示せずとも、制御部やバッテリ、スピーカ、カメラ等を備えていてもよい。
表示装置１１０と入力装置１００との接続方法としては、例えば、マグネット式端子等による機械的な機構を用いた接続方法や、Bluetooth（登録商標）、赤外線等の通信システムを用いた無線通信、配線等を用いた有線通信等を適用することができる。
【００３３】
入力装置１００は、本実施形態において、薄型のキーボード装置として構成される。入力装置１００の厚みは、例えば、２ｍｍ程度で構成され、全体として変形可能に構成され得る。以下、入力装置１００について詳細に説明する。
【００３４】
［入力装置の構成］
図２は、入力装置１００の構成を示す概略平面図であり、図３は図２のＡ−Ａ方向から見た断面図であり、図４は図３の拡大断面図である。
入力装置１００は、入力操作を検出するセンサ装置１２０と、センサ装置１２０によって検出された入力操作を処理する制御部１９とを含む。センサ装置１２０は、本体１０と、第１のセンサ部１７と、第２のセンサ部１８とを備え、本実施形態において、静電容量方式の圧力センサとして構成される。
すなわち入力装置１００は、本体１０と、第１のセンサ部１７と、第２のセンサ部１８と、制御部１９と、を備える。以下、入力装置１００各部の構成について説明する。
【００３５】
（本体）
本体１０は、入力操作面１１と、入力操作面１１とＺ軸方向に対向する底面１２とを有し、変形可能なシート状に構成される。より具体的には、本体１０は、入力操作面１１が形成された操作部材１３と、底面１２が形成された底面板１４と、電極層１５と、支持体１６とを有する。
【００３６】
操作部材１３は、電極層１５とＺ軸方向に対向する導体層１３１を含み、本実施形態において全体が導体層１３１により構成される。
導体層１３１（操作部材１３）は、電極層１５に対向して配置され、弾性変形可能な薄型の金属板として構成される。導体層１３１の材料としては、例えばステンレス等の金属材料が適用され得る。導体層１３１の厚みは、例えば、数１０〜数１００μｍ程度である。導体層１３１は、典型的には、グランド電位に接続される。
【００３７】
入力操作面１１は、押圧操作等によって変形可能なキートップとして構成され、所定の配列を有する複数のキー領域（第１の領域）１１ａを含む。各キー領域１１ａは、押圧操作されることが可能であり、押圧操作によってＺ軸方向へ局所的に凹むことが可能に構成される。各キー領域１１ａには、適宜のキー表示が施されていてもよい。当該キー表示は、キーの種類を表示するものであってもよいし、個々のキーの位置（輪郭）を表示するものであってもよいし、これら両方を表示するものであってもよい。
さらに、入力操作面１１は、キー領域１１ａよりも変形しにくい検出領域（第２の領域）１１ｂを含む。検出領域１１ｂは、本実施形態において、複数のキー領域１１ａの間をＸ軸方向に沿って延在し、Ｙ軸方向には狭小な矩形状に構成される。検出領域１１ｂは、後述するように局所的な変形が難しいが、入力操作面１１全体が曲げられたりしなったりする際には、検出領域１１ｂも追従して変形し得る。
キー領域１１ａは、後述する第１のセンサ部１７に対応して配置され、検出領域１１ｂは、後述する第２のセンサ部１８に対応して配置される。なお、ある領域に「対応する」位置とは、その領域とＺ軸方向に対向する位置をいうものとする。
【００３８】
底面板１４は、操作部材１３とＺ軸方向に対向して配置される。底面板１４は、例えば操作部材１３よりも高い剛性を有し、入力装置１００の支持プレートとしても機能し得る。これにより、底面１２は、入力操作面１１よりも変形しにくい構成を有する。また底面板１４は、典型的にはグランド電位に接続され、入力装置１００の外部との間の電磁的な干渉を防止する電磁シールドとしても機能し得る。底面板１４の電極層１５に面する面の裏側には、底面１２が形成される。
底面板１４は、例えばＡｌ合金、Ｍｇ合金その他の金属材料を含む金属板又はカーボン繊維強化型プラスチック等の導体板で構成されてもよい。あるいは底面板１４は、プラスチック材料等の絶縁体層上にメッキ膜や蒸着膜、スパッタリング膜、金属箔等の導体膜が形成された積層構造を有してもよい。また底面板１４の厚みは特に限定されず、例えば約０．３ｍｍ程度である。
底面板１４は、平坦な板状に構成される例に限定されず、所望のセンサ感度を実現することが可能な形状を有していてもよい。例えば底面板１４は、図示はしないが、周縁部等の所定の領域がＺ軸方向上方に向かって折り曲げられていてもよいし、開口を有するメッシュ状に構成されていてもよい。
【００３９】
電極層１５は、入力操作面１１及び底面１２の間に配置される。電極層１５は、第１の配線基板１５１と、第２の配線基板１５２との積層構造を有する。
第１の配線基板１５１は、絶縁性のプラスチックシートで構成された第１の基材１５１ｓと、第１の基材１５１ｓの上に形成された複数の第１の電極線１５１ｗとを有する。
第２の配線基板１５２は、絶縁性のプラスチックシートで構成された第２の基材１５２ｓと、第２の基材１５２ｓの上に形成された複数の第２の電極線１５２ｗとを有する。
なお、図示はしないが、第２の基材１５２ｓと底面板１４との間に接着層等が設けられていてもよい。
【００４０】
各第１の電極線１５１ｗ及び各第２の電極線１５２ｗは、例えばキー領域１１ａ又は検出領域１１ｂに対応する位置で容量結合し、それぞれ後述する第１の容量素子１７ｓと第２の容量素子１８ｓとを形成する。
各第１の電極線１５１ｗは、例えばＸ電極として構成され、Ｙ軸方向に配列された複数の第１の容量素子１７ｓをＸ軸方向に接続するように配置される。また、複数の第１の電極線１５１ｗのうち少なくとも１つの第１の電極線１５１ｗは、Ｘ軸方向に延在し第２の容量素子１８ｓを形成する。
各第２の電極線１５２ｗは、例えばＹ電極として構成され、Ｘ軸方向に配列された複数の第１の容量素子１７ｓをＹ軸方向に接続するように配置される。また、複数の第２の電極線１５２ｗのうち少なくとも１つの第２の電極線１５２ｗの一部は、Ｘ軸方向に延在し第２の容量素子１８ｓを形成する。
【００４１】
支持体１６は、導体層１３１と電極層１５との間に配置される。支持体１６は、複数の構造体１６１と、空間部１６２とを有する。
複数の構造体１６１は、導体層１３１と電極層１５との間を接続する。複数の構造体１６１の配置は、所望のセンサ感度に基づいて決定できるが、例えばキー領域１１ａの各キーの周縁、及び検出領域１１ｂの周縁に沿って配置されていてもよい。
空間部１６２は、複数の構造体１６１の間に形成される。空間部１６２は、入力操作や本体１０全体の変形に応じて複数のキー領域１１ａ各々と電極層１５との間の距離を変化させることが可能に構成される。
【００４２】
本実施形態において支持体１６は、各構造体１６１を支持する基材１６３をさらに有する。基材１６３は、ＰＥＴ、ＰＥＮ、ＰＣ等の電気絶縁性のプラスチックシートで構成され、電極層１５上に積層される。基材１６３の厚みは特に限定されず、例えば数μｍ〜数１００μｍである。
【００４３】
複数の構造体１６１は、それぞれ同一の高さ（例えば数μｍ〜数１００μｍ）を有し、例えば入力操作面１１上の各キー領域１１ａ及び検出領域１１ｂを区画するように、電極層１５と導体層１３１との間を接続する。
各構造体１６１は、各キー領域１１ａにおける操作性（クリック感、ストローク感）や検出感度の向上の観点から剛性の比較的高い材料で構成されるが、弾性材料で構成されてもよい。各構造体１６１は、例えば、紫外線硬化樹脂等の電気絶縁性の樹脂材料で構成され、基材１６３の表面に転写法等の適宜の手法を用いて形成される。
【００４４】
空間部１６２は、導体層１３１をＺ軸方向に弾性変形させることが可能に構成される。空間部１６２は、本実施形態において、キー領域１１ａに対応する第１の空間１６２ａと、検出領域１１ｂに対応する第２の空間１６２ｂとを含む。
第１の空間１６２ａは、入力操作面１１に対する入力操作により導体層１３１を電極層１５に向かって変形させることができる。第１の空間１６２ａは、複数のキー領域１１ａ間で相互に連通するように形成されるが、これに限られず、キー領域１１ａ毎に独立して設けられてもよい。
また、図２に示すように、第２の空間１６２ｂは、Ｙ軸方向に沿って第１の空間１６２ａよりも狭小な幅を有するが、Ｘ軸方向に沿って第１の空間１６２ａよりも長い長さを有する。これにより、第２の空間１６２ｂは、導体層１３１を押圧操作等により局所的に変形させることは難しいが、例えばＸ軸方向に沿ったしなり等の入力操作面１１全体の変形時には、導体層１３１と電極層１５との距離を変形前と比較して小さくすることができる。
第１の空間１６２ａ及び第２の空間１６２ｂ間は、相互に連通するように形成されるが、これに限られず、第１及び第２の空間１６２ａ，１６２ｂ毎に独立して設けられてもよい。
【００４５】
（第１のセンサ部）
第１のセンサ部１７は、入力操作に基づく入力操作面１１の局所的な変形を検出することが可能に構成される。具体的に、第１のセンサ部１７は、電極層１５に形成され入力操作面１１との相対距離に応じて容量が可変の第１の容量素子１７ｓを有する。
なお、「局所的な変形」とは、本体１０全体の変形に追従することにより生じた入力操作面１１の変形ではなく、入力操作面１１の一部を押圧等することにより生じた入力操作面１１の変形をいうものとする。
【００４６】
第１の容量素子１７ｓは、導体層１３１との距離の変化を静電的に検出することが可能に構成される。各第１の容量素子１７ｓは、各キー領域１１ａに対応する位置に、例えば構造体１６１に囲まれて配置される。各第１の容量素子１７ｓは、例えば第１の電極線１５１ｗと、その第１の電極線１５１ｗとＺ軸方向に対向する第２の電極線１５２ｗとによって形成される。
【００４７】
第１の容量素子１７ｓにおいて、第１の電極線１５１ｗと第２の電極線１５２ｗとが容量結合する。すなわち、第１の基材１５１ｓを誘電層として、第１及び第２の電極線１５１，１５２間の静電容量Ｃ１０が導体層１３１と第１及び第２の電極線１５１，１５２との容量結合に応じて可変に構成される。すなわち、第１の容量素子１７ｓは、いわゆる相互キャパシタンス方式の容量素子を構成する。
【００４８】
(第２のセンサ部)
第２のセンサ部１８は、入力操作面１１の全体的な変形を検出することが可能に構成される。具体的に、第２のセンサ部１８は、電極層１５に形成され入力操作面１１との相対距離に応じて容量が可変の第２の容量素子１８ｓを有する。
第２の容量素子１８ｓは、導体層１３１との距離の変化を静電的に検出することが可能に構成される。
なお、「全体的な変形」とは、本体１０全体の変形に追従することにより生じた入力操作面１１の変形をいうものとし、例えば、本体１０のしなりによって生じた入力操作面１１の湾曲変形等をいうものとする。
【００４９】
図４を参照し、第２の容量素子１８ｓは、第１の容量素子１７ｓと同様に相互キャパシタンス方式の容量素子を構成する。すなわち第２の容量素子１８ｓは、第１の容量素子１７ｓと同様に、第１の電極線１５１ｗと第２の電極線１５２ｗとが容量結合しており、この静電容量が導体層１３１と第１及び第２の電極線１５１，１５２との容量結合に応じて可変に構成される。
【００５０】
第２のセンサ部１８は、本実施形態において、入力操作面１１と平行なＸ軸方向（一軸方向）に延在する。すなわち、第２の容量素子１８ｓは、それぞれＸ軸方向に延在し、かつ相互にＺ軸方向に対向する第１の電極線１５１ｗ及び第２の電極線１５２ｗによって構成される。第２の容量素子１８ｓは、検出領域１１ｂに対応する位置に、例えば構造体１６１に囲まれて配置される。
検出領域１１ｂは、上述のように押圧操作による局所的な変形が難しい一方で、入力操作面１１全体の変形に倣って変形し得る。したがって、第２のセンサ部１８により検出された容量変化量は、入力操作面１１の全体的な変形によるものとみなして取り扱うことができる。
【００５１】
（制御部）
制御部１９は、典型的には、ＣＰＵ／ＭＰＵ、メモリ等を有するコンピュータで構成される。制御部１９は、単一のチップ部品で構成されてもよいし、複数の回路部品で構成されてもよい。制御部１９は、本体１０に搭載されてもよいし、本体１０に接続される表示装置１１０側に搭載されてもよい。前者の場合には、例えば、電極層１５に接続されるフレキシブル配線基板上に実装される。後者の場合には、上記表示装置１１０を制御するコントローラと一体的に構成されてもよい。
【００５２】
図２に示すように、制御部１９は、電極層１５に電気的に接続され、より詳細には、複数の第１及び第２の電極線１５１ｗ，１５２ｗ各々に端子を介してそれぞれ接続される。
制御部１９は、第２のセンサ部１８からの出力に基づいて入力操作面１１の全体的な変形量を検出し、変形量と第１のセンサ部１７からの出力とに基づいて入力操作に関する入力操作情報を生成する。具体的には、制御部１９は、所定の周期で各第１の容量素子１７ｓ及び第２の容量素子１８ｓをスキャンしながら各第１の容量素子１７ｓ及び第２の容量素子１８ｓの容量変化量を取得する。そして、第２の容量素子１８ｓの容量変化量に基づいて入力操作面１１の変形量が過大か否か判定し、当該変形量が過大でないと判定した場合、第１の容量素子１７ｓの容量変化量に基づいて入力操作情報を生成する。
本実施形態においては、第２の容量素子１８ｓの容量変化量を、入力操作面１１の全体的な変形量とみなして処理を行うことができる。
本実施形態において、制御部１９は、変形量が所定の変形量未満の場合、入力操作情報を生成し、変形量が所定の変形量以上の場合、警告を発するための信号を生成する。警告を発する場合、制御部１９は、入力操作情報を生成しなくてもよく、あるいは生成した入力操作情報を無効にする処理を行ってもよい。
入力操作情報は、例えば、各キーに固有の操作信号とすることができる。警告を発するための信号は、例えば、図示しない電子機器１のスピーカを駆動させ、かつ警告音を発生させるための信号とすることができる。これにより、制御部１９は、本体１０の変形量が過大な場合には入力判定を行わず、ユーザに警告することが可能となり、本体１０の破損を防止することができる。
【００５３】
[入力装置の作用]
図５は、入力装置１００の入力操作面１１のキー領域１１ａを指Ｆで押圧した態様を示す拡大平面図、図６は図５の矢印方向から見た断面図である。なお、図中の領域Ｓ１は、押圧時に指Ｆが接触する領域を示す。
同図に示すように、領域Ｓ１はキー領域１１ａよりも小さいため、領域Ｓ１直下の領域には第１の空間１６２ａのみが存在し、構造体１６１が存在しない。このため、キー領域１１ａ中の領域Ｓ１が押圧された場合、押圧前と比較して導体層１３１と第１の容量素子１７ｓとの距離が小さくなり、導体層１３１と第１の容量素子１７ｓとの静電容量が大きくなる。これにより、第１の容量素子１７ｓの静電容量に変化が生じ、当該変化量に基づいて制御部１９がキー入力判定を行うことができる。
【００５４】
一方、検出領域１１ｂは、キー領域１１ａとは異なりキーとして割り当てられておらず、入力操作時に押圧されることが想定されていない。さらに本実施形態においては、以下に示すように、仮に検出領域１１ｂが押圧されたとしても、第２の容量素子１８ｓの容量変化量は変化しないように構成される。
図７は、入力操作面１１の検出領域１１ｂを指Ｆで押圧しようとした態様を示す拡大平面図であり、図８は図７の矢印方向から見た断面図である。なお、図中の領域Ｓ２は、押圧時に指Ｆが接触する領域を示す。
同図に示すように、領域Ｓ２のＹ軸方向に沿った幅Ｌ２は検出領域１１ｂのＹ軸方向に沿った幅Ｌ１よりも大きく、領域Ｓ２直下の領域には第２の空間１６２ｂの他、構造体１６１が存在する。このため、ユーザが検出領域１１ｂ上を押圧しようとした場合、変形しにくい構造体１６１によって導体層１３１が変形せず、導体層１３１と第２の容量素子１８ｓとの距離は一定のままとなる。結果として、検出領域１１ｂはキー領域１１ａよりも変形しにくい構成となり、検出領域１１ｂ上を指Ｆによって押圧操作しようとしても、第２の容量素子１８ｓの静電容量にほとんど変化が生じることがない。
【００５５】
一方、図９Ａは、図２のＢ−Ｂ方向から見た概略断面図であり、図９Ｂは、図９Ａに示す本体１０が全体的に湾曲した態様の概略断面図である。また、図１０Ａは図２のＣ−Ｃ方向から見た概略断面図であり、図１０Ｂは、図１０Ａに示す本体１０が全体的に湾曲した態様の概略断面図である。
図９Ａ、図１０Ａに示すように、本体１０が全体的に湾曲した場合、外弧面となる入力操作面１１よりも内弧面となる底面１２の方が曲率が大きくなる。
このため、キー領域１１ａに対応する領域において、導体層１３１と電極層１５との距離が小さくなり、第１の容量素子１７ｓの静電容量が変化し得る。この場合、制御部１９は、入力操作面１１が押圧されていなくても多数のキーについて入力判定を行う可能性があり、誤動作を招くおそれがある。
【００５６】
そこで、本実施形態の入力装置１００は、検出領域１１ｂに対応する第２のセンサ部１８を有し、第２のセンサ部１８の第２の容量素子１８ｓの容量変化量に基づき入力操作面１１全体の変形を検出する。すなわち、図１０Ｂに示すように本体１０が検出領域１１ｂの延在方向であるＸ軸方向に沿って大きく湾曲した場合には、検出領域１１ｂに対応する領域においても、第２の空間１６２ｂが存在するため導体層１３１と電極層１５との距離が変化する。このため、検出領域１１ｂに対応して配置された第２の容量素子１８ｓの静電容量に変化が生じ得る。一方で、上述のように、検出領域１１ｂを指等によって押圧しようとしても、導体層１３１と電極層１５との距離はほとんど変化しない。
このことから、第２の容量素子１８ｓの静電容量に変化が生じた場合、その変化は入力操作面１１全体の変形に起因するものとみなすことができる。したがって、制御部１９は、第２の容量素子１８ｓの容量変化量に基づいて入力操作面１１（本体１０）全体の変形量を検出し、この変形量を用いて入力装置１００（電子機器１）の制御を行うことが可能となる。
以下、制御部１９の動作の一例について説明する。
【００５７】
［制御部の動作例］
図１１は、制御部１９の動作例を示すフローチャートである。本動作例では、制御部１９が本体１０の変形量の大小を判定し、変形量がわずかであった場合は入力操作処理を行い、変形量が過大であった場合は警告音を発生させる例を示す。
制御部１９は、各第１の容量素子１７ｓ及び第２の容量素子１８ｓの静電容量を周期的にスキャンしている。
まず制御部１９は、第２の容量素子１８ｓの容量変化量が第１の閾値以上であるか否か判定する（ＳＴ１１）。第１の閾値は、本体１０全体が変形しているか否かの判定に用いられる閾値であって、本体１０の構造や各部の材料等に鑑みて設定される。第１の閾値以上である場合（ＳＴ１１でＹｅｓ）、制御部１９は、入力操作情報を生成せずに、スピーカに対し警告音を発生させるための信号を生成する（ＳＴ１２）。
一方、第２の容量素子１８ｓの容量変化量が第２の閾値未満である場合（ＳＴ１１でＮｏ）、制御部１９は、第１のセンサ部１７の各第１の容量素子１７ｓの容量変化量が第２の閾値以上であるか否か判定する（ＳＴ１３）。第２の閾値は、打鍵判定に用いられる閾値であって、操作部材１３の材料等に鑑みて設定される。少なくとも１つの第１の容量素子１７ｓの容量変化量が第２の閾値以上であると判定された場合（ＳＴ１３でＹｅｓ）、制御部１９は、判定された第１の容量素子１７ｓに対応するキーが入力操作されたと判定し、当該キーに対応する入力操作情報を生成する（ＳＴ１４）。そして再び第２の容量素子１８ｓの容量変化量が第１の閾値以上であるか否か判定する（ＳＴ１１）。
一方、いずれの第１の容量素子１７ｓの容量変化量も第２の閾値未満であると判定された場合（ＳＴ１３でＮｏ）、制御部１９は、いずれのキーも入力操作されていないと判定し、再び第２の容量素子１８ｓの容量変化量が第１の閾値以上であるか否か判定する（ＳＴ１１）。
【００５８】
［本実施形態の作用効果］
以上のように、本実施形態によれば、第２のセンサ部１８によって、入力操作面１１の局所的な変形である押圧操作とは区別して入力操作面１１全体のしなり等の変形を検出することができる。これにより、第１のセンサ部１７が入力操作面１１全体の変形を検出することによる誤動作を防止することができる。また、例えば上記変形量が所定以上の場合は、ユーザに対して警告を発することができ、薄型の入力装置１００であっても本体１０の破損等を防止することができる。
【００５９】
また、本実施形態の入力装置１００は、入力操作面１１と電極層１５との間の距離の変化を、第１及び第２の容量素子１７ｓ，１８ｓの容量変化として検出する機能を有する。このため、入力操作に関して、デバイス特性に基づくＯＮ／ＯＦＦの２値判定だけではなく、容量変化量に対応する閾値を設定することで、入力操作に応じた入力操作面１１（キー領域１１ａ）の局所的な変形に基づくキー入力判定が可能となる。これにより、上記閾値を適宜調整することで、年齢や性別等によるユーザの押圧力の強弱や、ユーザの嗜好等に応じてキー入力感度をカスタマイズすること等が可能になる。したがって、ユーザにとって操作性の高い入力装置１００を提供することができる。
【００６０】
さらに、本実施形態の入力装置１００は、電極層１５と対向する導体層１３１を備える。これにより、入力装置１００は、導電性の操作子（指等）を用いるタッチセンサとは異なり、導体層１３１と第１及び第２の容量素子１７ｓ，１８ｓとの距離の変化を検出することが可能となる。
指等を用いる上記タッチセンサは、導電性の操作子と容量素子との十分な容量結合が得られない場合、入力操作の感度が低下する。これにより、上記タッチセンサは、爪先等や、手袋をはめた指等では入力操作が難しかった。
本実施形態の入力装置１００によれば、操作子が絶縁性の場合や、操作子の接触面積が小さい場合等あっても、導体層１３１が所望の変形を生じれば入力操作が可能となり、操作性を高めることができる。
【００６１】
[変形例１−１]
上述の第１の実施形態においては、第１及び第２の容量素子１７ｓ，１８ｓがそれぞれ相互キャパシタンス方式の容量素子を構成すると説明したが、これに限定されず、第１及び第２の容量素子１７ｓ，１８ｓがそれぞれ自己キャパシタンス方式の容量素子を構成してもよい。
この場合、電極層１５が、例えば１つの基材と、当該基材上に配置され、キー領域１１ａ及び検出領域１１ｂにそれぞれ対応する形状にパターニングされた１つの電極線とを有する。第１及び第２の容量素子１７ｓ，１８ｓは、それぞれ、当該電極線と導体層１３１とが容量結合されたことにより形成されたコンデンサとして構成され、制御部１９は、これらのコンデンサ各々の容量変化量に基づいてキー入力判定や入力操作面１１全体の変形の判定を行う。
本変形例によっても、第２のセンサ部１８によって、入力操作面１１の局所的な変形である押圧操作とは区別して入力操作面１１全体のしなり等の変形を検出することができる。
【００６２】
［変形例１−２］
上述の第１の実施形態では、検出領域１１ｂ及び第２のセンサ部１８がＸ軸方向に延在していると説明したが、これに限定されない。例えば、図１２に示すように、検出領域１１ｂ及び第２のセンサ部１８がＹ軸方向に延在していてもよい。これにより、入力操作面１１を含む本体１０がＹ軸方向に沿って湾曲する変形を検出することが容易になる。
あるいは、入力装置１００（センサ装置１２０）が、Ｘ軸方向に延在する検出領域１１ｂと、Ｙ軸方向に延在する検出領域１１ｂとの２つの検出領域１１ｂを有していてもよい（図示せず）。これにより、入力操作面１１を含む本体１０が、Ｘ軸方向及びＹ軸方向のいずれに沿って湾曲した場合であっても容易に検出することができる。
【００６３】
[変形例１−３]
図１３は、変形例１−３に係る入力装置１００（センサ装置１２０）を示す概略断面図である。同図に示すように、操作部材１３は、導体層１３１の他、基材１３２を有していてもよい。
基材１３２は、導体層１３１の、電極層１５と対向する面の裏側に配置される。基材１３２には、入力操作面１１が形成される。基材１３２は、例えばＰＥＴ（ポリエチレンテレフタレート）、ＰＥＮ（ポリエチレンナフタレート）、ＰＭＭＡ（ポリメタクリル酸メチル）、ＰＣ（ポリカーボネート）、ＰＩ（ポリイミド）等のフレキシブル性を有する絶縁性のプラスチックシートで構成され得る。また、基材１３２と導体層１３１との間に、図示しない接着層が形成されていてもよい。
上記構成の入力装置１００により、入力操作面１１の材料選択性を高め、ユーザの操作性を高めることが可能となる。
【００６４】
［変形例１−４］
さらに、操作部材１３が基材１３２のみを有し、導体層１３１を有さない構成であってもよい。この場合、第１及び第２の容量素子１７ｓ，１８ｓは、導体層１３１ではなく、指等の導電性の操作子と容量結合し得る。したがって、本変形例においても、制御部１９が、第１及び第２の容量素子１７ｓ，１８ｓの容量変化量に基づいて、キー入力判定や入力操作面１１全体の変形の判定を行うことができる。
【００６５】
[変形例１−５]
図１４は、変形例１−５に係る入力装置１００（センサ装置１２０）を示す要部断面図である。第１の容量素子１７ｓ及び第２の容量素子１８ｓを構成する第１の電極線１５１ｗ及び第２の電極線１５２ｗの構成は上記に限定されない。例えば、図１４Ａ，Ｂに示すように、第１の電極線１５１ｗと第２の電極線１５２ｗとが、１つの基材１５ｓ上に配置され、面内方向に対向して容量結合してもよい。
この場合、第１の電極線１５１ｗと第２の電極線１５２ｗは、それぞれ櫛歯状の複数の単位電極体１５１ｍ，１５２ｍを構成し、１組の単位電極体１５１ｍ，１５２ｍが相互に組み合わされることで各第１の容量素子１７ｓ又は第２容量素子１８ｓを構成してもよい。
このような構成により、電極層１５の厚みを低減させることができ、より薄型の入力装置１００を提供することができる。また、第１及び第２の電極線１５１ｗ，１５２ｗがそれぞれ櫛歯状の複数の単位電極体１５１ｍ，１５２ｍを有することから、各第１の容量素子１７ｓ又は各第２の容量素子１８ｓ当たりの静電容量を増加させることが可能となる。これにより、入力操作面１１の変形に起因して生じる容量変化量を増加させることができ、センサ感度の高い入力装置１００（センサ装置１２０）を提供することができる。
【００６６】
［変形例１−６］
上述の第１の実施形態では、支持体１６が導体層１３１と電極層１５との間に配置され、複数の構造体１６１が導体層１３１と電極層１５との間を接続すると説明したが、これに限定されない。
例えば、支持体１６は、導体層１３１と電極層１５との間、及び底面板１４と電極層１５との間に配置されていてもよい。この場合、支持体１６は、複数の構造体１６１と空間部１６２とに加え、導体層１３１と電極層１５との間を接続する複数の構造体と、当該複数の構造体の間に形成された空間部とをさらに有していてもよい。当該複数の構造体各々は、入力操作面１１のキー配列に応じて適宜配置することができ、例えば面内方向に隣接する２つの構造体１６１の間に配置されてもよく、あるいは構造体１６１とＺ軸方向に対向して配置されてもよい。
これにより、入力操作面１１の変形により電極層１５が変形し、第１及び第２の容量素子Ｃ１，Ｃ２と底面板１４との間の距離も変化し得ることから、センサ感度のより高い構成とすることができる。
【００６７】
［変形例１−７］
底面板１４は導体板に限定されず、例えば操作部材１３よりも高い剛性を有する樹脂等の絶縁材料で形成されてもよい。あるいは、底面板１４が図示しない絶縁性の基材と導体膜とを有していてもよい。
【００６８】
［変形例１−８］
上述の第１の実施形態では、警告を発するための信号が、電子機器１のスピーカを駆動させ、かつ警告音を発生させるための信号であると説明したが、これに限定されない。例えば、警告を発するための信号は、表示装置１１０のディスプレイに警告を促す文言等を表示させるための画像情報であってもよい。あるいは、当該信号は、入力装置１００を振動させるための駆動信号であってもよい。
【００６９】
［変形例１−９］
制御部１９の処理は、上述の処理に限定されない。例えば、制御部１９は、後述する第３及び第４の実施形態と同様に、第２の容量素子１８ｓの容量変化量に基づいて真の押圧力を算出し、キー入力判定を行うことができる。これにより、入力操作面１１が全体的に変形している場合であっても、キー入力判定を行うことができる。
【００７０】
［変形例１−１０］
制御部１９は、本体１０の変形量の大小を判定する上述の処理に限定されず、当該変形量を３段階以上判定する処理を行ってもよい。具体的に、制御部１９は、本体１０の変形量が第１の変形量未満の場合、変形量を考慮せずにキー入力判定を行うことができる。また、当該変形量が第１の変形量以上であって第２の変形量未満の場合、後述する第３及び第４の実施形態と同様に、第２の容量素子１８ｓの容量変化量に基づいて真の押圧力を算出してキー入力判定を行うことができる。また、当該変形量が第２の変形量以上の場合、変形が過大であるとして警告を発するための信号を生成することができる。なお上述のように、本変形例においても、第２の容量素子１８ｓの容量変化量を、入力操作面１１の全体的な変形量とみなして処理を行うことができる。
【００７１】
［変形例１−１１］
上述の第１の実施形態においては、入力装置１００を非常に薄型に構成することができるため、タブレットＰＣである電子機器１の構成の自由度を高めることができる。例えば、入力装置１００を、タブレットとして用いることができる表示装置１１０のケースと一体に形成することができる。これにより、電子機器１をより薄型でかつ取り扱い性の高い構成とすることができる。
【００７２】
［変形例１−１２］
上述の第１の実施形態では、電子機器１がタブレットＰＣであると説明したが、これに限定されない。例えば、電子機器１は、ノート型ＰＣ、タブレット端末、スマートフォン、デジタイザ、ＰＤＡ（Personal Digital Assistants）、ゲーム機、電子書籍端末、ＡＴＭ（Automatic Teller Machine）、駅券売機、プロジェクタ装置等として構成されてもよい。
【００７３】
＜第２の実施形態＞
図１５は、本技術の第２の実施形態に係る入力装置２００（センサ装置２２０）の概略平面図であり、図１６は、図１５のＸ軸方向から見た要部断面図である。本実施形態に係る入力装置２００において、本体２０の操作部材２３と、第２のセンサ部２８以外の構成は第１の実施形態と同様であるため、その説明を省略する。
【００７４】
操作部材２３は、電極層１５とＺ軸方向に対向する導体層１３１と、後述する複数の押圧防止部２３２とを含む。
操作部材２３には、変形可能なキートップとして構成された入力操作面２１が形成される。
【００７５】
入力操作面２１は、複数のキー領域１１ａと同様に所定の配列を有する複数のキー領域２１ａと、検出領域１１ｂとは異なる複数の検出領域（第２の領域）２１ｂとを含む。
各検出領域２１ｂは、本実施形態において、複数のキー領域２１ａに隣接し、かつ各キー領域２１ａと同様の平面形状の領域として構成される。各検出領域１１ｂの周縁部には、上述のキー領域１１ａと同様に構造体１６１が配置され、各検出領域１１ｂの中央部には、例えば空間部１６２が配置される。複数の検出領域１１ｂの配置は特に限定されず、それぞれ、隣接するキー領域２１ａ間の空いたスペースに設けられ得る。
本実施形態において、検出領域２１ｂには押圧防止部２３２が配置される。
【００７６】
押圧防止部２３２は、検出領域２１ｂ上に配置され、検出領域２１ｂへの押圧を防止する。押圧防止部２３２の形状は、典型的には、入力操作面２１に接続された壁部と上面部とを有する蓋状に構成される。押圧防止部２３２は、例えば検出領域２１ｂの周縁の、構造体１６１のＺ軸方向上方に接続され、上部をユーザが押圧操作をした場合に検出領域２１ｂが局所的に変形しないように構成される。
押圧防止部２３２の材料は、ユーザの押圧操作により変形しにくい剛性を有する材料であれば特に限定されず、例えば紫外線硬化樹脂等の樹脂材料や金属材料等を用いることができる。
【００７７】
第２のセンサ部２８は、入力操作面２１の全体的な変形を検出することが可能に構成される。具体的に、第２のセンサ部２８は、電極層１５に形成され入力操作面２１との相対距離に応じて容量が可変の第２の容量素子２８ｓを有する。
第２の容量素子２８ｓは、導体層１３１との距離の変化を静電的に検出することが可能に構成される。第２の容量素子２８ｓは、第１の実施形態に係る第２の容量素子１８ｓと同様に相互キャパシタンス方式の容量素子を構成する。第２の容量素子２８ｓは、一軸方向に延在しておらず、第１の容量素子１７ｓと同様の平面形状で構成され得る。
【００７８】
図１７は、入力操作面２１の検出領域２１ｂを指Ｆで押圧しようとした態様のＹ軸方向から見た要部断面図である。また図１８は、図１５のＤ−Ｄ方向から見た概略断面図であり、入力装置２００の本体２０が全体的に湾曲した態様を示す。
図１７に示すように、ユーザが検出領域２１ｂ上の押圧防止部２３２を指Ｆで押圧しようとした場合、押圧防止部２３２が局所的に変形しないことから検出領域２１ｂが局所的に変形せず、導体層１３１と第２の容量素子２８ｓとの距離は変化しない。このため、第２の容量素子２８ｓの静電容量は変化せず、検出領域２１ｂにおける入力操作面２１の局所的な変形を検出することはできない。
一方図１８に示すように、本体２０が全体的に湾曲した場合、検出領域２１ｂに対応して空間部１６２（第２の空間１６２ｂ）が存在するため、導体層１３１の検出領域２１ｂに対応する領域と第２の容量素子２８ｓとの距離は小さくなる。これにより、第２の容量素子２８ｓは、入力操作面２１全体の変形のみ検出することができる。
【００７９】
以上より、本実施形態によれば、検出領域２１ｂ上に押圧防止部２３２が配置されることで、検出領域２１ｂをキー領域２１ａよりも変形しにくい構成とすることができる。すなわち、検出領域２１ｂを、押圧操作による局所的な変形はせず、かつ入力操作面２１全体の変形時にのみ変形する領域とすることができる。
したがって、第２のセンサ部１８によって、入力操作面２１の局所的な変形である押圧操作とは区別して入力操作面２１全体のしなり等の変形を検出することができる。これにより、例えば上記変形量が所定以上の場合は、ユーザに対して警告を発することができ、本体２０の破損等を防止することができる。また、第１のセンサ部１７が入力操作面２１全体の変形を検出することによる誤動作を防止することができる。
【００８０】
［変形例２−１］
押圧防止部２３２の構成は蓋状に限定されず、例えば検出領域２１ｂの略全面に密接するドーム状や、直方体状、板状等であってもよい。また押圧防止部２３２の材料も上記に限定されず、例えば押圧力を吸収可能な緩衝材等を適用することができる。
【００８１】
［変形例２−２］
検出領域２１ｂの配置も上記に限定されず、例えば図１９に示すように複数のキー２１ａの外周部に設けられてもよい。これによっても、上述の第２の実施形態と同様の作用効果を得ることができる。
【００８２】
［変形例２−３］
検出領域２１ｂ上に押圧防止部２３２を配置する他、例えば検出領域２１ｂを、キー領域２１ａを構成する材料よりも剛性が高く局所的な押圧が困難な材料で形成してもよい。これによっても、検出領域２１ｂをキー領域２１ａよりも変形しにくい構成とすることができる。
【００８３】
＜第３の実施形態＞
図２０は、本技術の第３の実施形態に係る入力装置３００（センサ装置３２０）の構成を示す概略平面図であり、図２１は入力装置３００（センサ装置３２０）をＸ軸方向から見た要部断面図である。本実施形態に係る入力装置３００は、入力装置１００のようなキーボード装置ではなく、デジタライザやタッチパネルとして用いられるタッチセンサボードとして構成される。
すなわちセンサ装置３２０は、本体３０と、第１のセンサ部３７と、第２のセンサ部３８とを備え、入力装置３００は、本体３０と、第１のセンサ部３７と、第２のセンサ部３８と、制御部３９と、を備える。
なお、上述の実施形態及び変形例と同様の構成については同一の符号を付して、その説明を省略する。
【００８４】
本体３０は、本体１０と同様に、入力操作面３１と、入力操作面３１とＺ軸方向に対向する底面１２とを有する変形可能なシート状に構成される。具体的に、本体３０は、操作部材３３と、底面板１４と、電極層１５と、支持体３６とを有する。
【００８５】
操作部材３３は、電極層３５とＺ軸方向に対向する導体層３３１を含み、入力操作面３１が形成される。
入力操作面３１は、例えば平面状に構成される。入力操作面３１は、押圧操作が可能な操作領域（第１の領域）３１ａと、操作領域３１ａよりも変形しにくい検出領域（第２の領域）３１ｂとを含む。操作領域３１ａは、スタイラスや指等の操作子による押圧操作が可能に構成され、例えば矩形状の平面の領域として構成される。検出領域３１ｂは、例えば操作領域３１ａの外周部に配置され、検出領域１１ｂと同様に、Ｘ軸方向に沿って延在し、Ｙ軸方向には狭小な矩形状に構成され得る。
【００８６】
支持体３６は、導体層３３１と電極層１５との間に配置され、複数の構造体３６１と、空間部３６２と、基材１６３とを有する。
複数の構造体３６１は、導体層３３１と電極層１５との間を接続する。複数の構造体３６１は、例えば、操作領域３１ａに対応する領域においては例えば等間隔に配列され、検出領域３１ｂに対応する領域においては、例えば検出領域３１ｂの周縁に沿って配置される。
空間部３６２は、複数の構造体３６１の間に形成される。空間部３６２は、本実施形態において、操作領域３１ａに対応する第１の空間３６２ａと、検出領域３１ｂに対応する第２の空間３６２ｂとを含む。
第１の空間３６２ａは、入力操作面３１に対する入力操作により導体層３３１を電極層３５に向かって変形させることができる。第１の空間３６２ａは、相互に連通するように形成され得る。
また、第２の空間３６２ｂは、Ｙ軸方向に沿った幅が第１の空間３６２ａよりも狭小に構成されるが、Ｘ軸方向に沿った長さは第１の空間３６２ａよりも長く構成され得る。これにより、第２の空間３６２ｂは、導体層１３１を押圧操作等により局所的に変形させることは難しいが、例えばＸ軸方向に沿ったしなり等の入力操作面３１全体の変形時には、導体層３３１と電極層１５との距離を変形前よりも小さくすることができる。
第１の空間３６２ａ及び第２の空間３６２ｂ間は、相互に連通するように形成されるが、これに限られず、第１及び第２の空間３６２ａ，３６２ｂ毎に独立して設けられてもよい。
【００８７】
第１のセンサ部３７は、入力操作に基づく入力操作面３１の局所的な変形を検出することが可能に構成される。具体的に、第１のセンサ部３７は、電極層１５に形成され入力操作面３１との相対距離に応じて容量が可変の第１の容量素子３７ｓを有する。第１の容量素子３７ｓは、いわゆる相互キャパシタンス方式の容量素子を構成する。
第１の容量素子３７ｓは、導体層３３１との距離の変化を静電的に検出することが可能に構成される。各第１の容量素子３７ｓは、操作領域３１ａに対応する位置に所定の間隔で配列され、例えば隣接する構造体１６１間に配置される。各第１の容量素子３７ｓは、例えば第１の電極線１５１ｗと、その第１の電極線１５１ｗとＺ軸方向に対向する第２の電極線１５２ｗとによって形成される。
【００８８】
第２のセンサ部３８は、入力操作面３１の全体的な変形を検出することが可能に構成される。具体的に、第２のセンサ部３８は、電極層１５に形成され入力操作面３１との相対距離に応じて容量が可変の第２の容量素子３８ｓを有する。第２の容量素子３８ｓは、いわゆる相互キャパシタンス方式の容量素子を構成する。
第２の容量素子３８ｓは、導体層３３１との距離の変化を静電的に検出することが可能に構成される。第２のセンサ部３８は、本実施形態において、入力操作面３１と平行なＸ軸方向（一軸方向）に延在する。すなわち、第２の容量素子３８ｓは、それぞれＸ軸方向に延在し、かつ相互にＺ軸方向に対向する第１の電極線１５１ｗ及び第２の電極線１５２ｗによって構成される。第２の容量素子３８ｓは、検出領域３１ｂに対応する位置に、例えば構造体３６１に囲まれて配置される。
【００８９】
制御部３９は、制御部１９と同様に、典型的には、ＣＰＵ／ＭＰＵ、メモリ等を有するコンピュータで構成され、複数の第１及び第２の電極線１５１ｗ，１５２ｗ各々に端子を介してそれぞれ接続される。
制御部３９は、第２のセンサ部３８からの出力に基づいて入力操作面３１の全体的な変形についての変形量を検出し、変形量と第１のセンサ部３７からの出力とに基づいて入力操作に関する入力操作情報を生成する。
さらに本実施形態において、制御部３９は、変形量に基づいて入力操作面３１の全体的な変形により入力操作面３１に付加された圧力値を算出し、この圧力値に基づいて第１のセンサ部３７からの出力を補正し、入力操作面３１に付加された真の押圧力を算出することで入力操作情報を生成することができる。入力操作情報は、押圧力と、押圧操作された操作領域３１ａ内のＸＹ座標位置（操作位置）との情報を含む。操作位置の算出方法については、例えば、各第１の容量素子３７ｓから検出された押圧力の面内分布に基づいて重心点を算出する方法が適用され得る。
以下、制御部３９の動作の一例について説明する。
【００９０】
［制御部の動作例］
図２２は、制御部３９の動作例を示すフローチャートである。
【００９１】
制御部３９は、制御部１９と同様に、各第１の容量素子３７ｓ及び第２の容量素子３７ｓの静電容量を周期的にスキャンしている。
まず制御部３９は、第２の容量素子３８ｓの容量変化量に基づいて変形量を検出し、この変形量に基づいて入力操作面３１の全体的な変形により入力操作面３１に付加された圧力値を算出する（ＳＴ３１）。
一方で、制御部３９は、第１の容量素子３７ｓの容量変化量に基づいて押圧力を算出する（ＳＴ３２）。
そして制御部３９は、ＳＴ３２で算出した押圧力から、ＳＴ３１で算出した圧力を減算し、入力操作面３１全体の変形の影響を除いた押圧力（以下、真の押圧力と称する）を算出する（ＳＴ３３）。
さらに、制御部３９は、押圧力の面内分布に基づいて重心点を算出することで、操作位置を算出する（ＳＴ３４）。
最後に、制御部３９は、押圧力及び操作位置に基づいて、入力操作情報を生成する（ＳＴ３５）。
【００９２】
［本実施形態の作用効果］
以上のように、本実施形態によれば、第２のセンサ部３８によって、入力操作面３１の局所的な変形である押圧操作とは区別して入力操作面３１全体のしなり等の変形を検出することができる。これにより、入力操作面３１全体の変形を検出することによる誤動作を防止することができる。さらに、例えば本体３０全体が変形していた場合に入力操作された場合であっても、真の押圧力を算出することができるため、精度よく押圧力や操作位置等を算出することができる。
【００９３】
＜第４の実施形態＞
［入力装置の構成］
図２３、図２４は、本技術の第４の実施形態に係る入力装置４００（センサ装置４２０）の構成を示す図であり、図２３は後述する第１の形状モード、図２４は後述する第２の形状モードを示す。また、図２３、図２４のいずれも、ＡはＹ軸方向から見た断面図、Ｂは斜視図である。
本実施形態に係る入力装置４００（センサ装置４２０）は、入力装置１００と同様の概略構成を有するキーボード装置として用いられるが、第１の形状モードと第２の形状モードとを切替可能に構成される。
なお、上述の実施形態及び変形例と同様の構成については同一の符号を付して、その説明を省略する。
【００９４】
センサ装置４２０は、本体４０と、第１のセンサ部１７と、第２のセンサ部１８とを備え、入力装置４００は、本体４０と、第１のセンサ部１７と、第２のセンサ部１８と、制御部１９と、を備える。
本体４０は、入力操作面１１と、入力操作面１１とＺ軸方向に対向する底面１２とを有し、変形可能なシート状に構成される。また本体４０は、操作部材１３と、底面板１４と、電極層１５と、支持体１６とを有し、本実施形態においてさらに切替部４７を有する。
【００９５】
切替部４７は、入力操作面１１の曲率がそれぞれ異なる第１の形状モードと第２の形状モードとを切替可能に構成される。第１の形状モードは、本実施形態において入力操作面１１が平面（曲率は０）であり、第２の形状モードは、本実施形態において入力操作面１１が所定の曲率を有する曲面に維持されることが可能である。
なお、ここでいう「曲率」は、入力操作面１１の面内から算出される曲率のうち、最も大きい曲率をいうものとする。
切替部４７は、本実施形態において、本体４０に接続された構造体４７１と、第２の形状モードにおいて本体４０及び構造体４７１を相互に係合させる係合部４７２とを有する。
【００９６】
構造体４７１は、例えば本体４０に形成され、Ｘ軸方向に延在する。構造体４７１は、例えば本体４０と接続される第１の端部４７１ａと、その反対側の第２の端部４７１ｂとを有する。構造体４７１は、例えば本体４０の厚みと同程度の厚みを有し、かつＸ軸方向に沿って複数のキー領域１１ａ全体の長さと同程度の長さを有する。構造体４７１は、本体４０と同様の層構造を有してもよいが、剛性をより高めるために、本体４０とは異なる構造及び材料で構成されていてもよい。
切替部４７は、さらに、本体４０に形成された収容部４７３を有していてもよい。
収容部４７３は、例えば構造体４７１を収容することが可能な孔として構成され、Ｘ軸方向に延在する。収容部４７３のＸ軸方向に沿った長さは、構造体４７１の長さ以上であればよく、例えば構造体４７１よりも長くてもよい。
【００９７】
係合部４７２は、構造体４７１に形成された第１の係合部４７２ａと収容部４７３に形成された第２の係合部４７２ｂとを有する。
第１の係合部４７２ａは、構造体４７１のうち、第２の端部４７１ｂから第１の端部４７１ａへ向かって（Ｘ軸方向に沿って）第１の距離Ｌ４１だけ進んだ位置に形成される。
第２の係合部４７２ｂは、収容部４７３内であって、第１の形状モードにおいて、構造体４７１の第２の端部４７１ｂからＸ軸方向に沿って第１の距離Ｌ４１よりも短い第２の距離Ｌ４２だけ進んだ位置に形成される。
第１の距離Ｌ４１及び第２の距離Ｌ４２は特に限定されず、第２の形状モードにおける入力操作面１１の形状等に応じて適宜決定される。
係合部４７２は、ロック機構として構成され、例えば第１の係合部４７２ａが突起、第２の係合部４７２ｂが孔として構成されてもよいし、第１及び第２の係合部４７２ａ，４７２ｂが相互に吸着可能なマグネットとして構成されてもよい。あるいは、第１及び第２の係合部４７２ａ，４７２ｂがそれぞれ摩擦係数の高い材料で構成され、これらの摩擦力によって係合される構成であってもよい。
【００９８】
切替部４７は、例えば入力操作面１１のうち、複数のキー領域１１ａよりも奥側に配置される。なお、ここでいう「奥側」とは、入力装置４００の使用時に、Ｙ軸方向に沿ってユーザから離間する側をいうものとし、「手前側」とは、ユーザの使用時に、Ｙ軸方向に沿ってユーザに近づく側をいうものとする。これにより、入力操作面１１において、Ｙ軸方向に沿って手前側から奥側に向かうに従い曲率が大きくなるような構成とすることができる。
【００９９】
制御部１９は、第１及び第２のセンサ部１７，１８からの出力を検出し、入力操作面１１の全体的な変形量に基づいて間接的に形状モードの判定を行うことができる。
例えば、制御部１９は、第１の形状モードにおいては入力装置４００に対する入力操作を無効と処理することができ、第２の形状モードにおいては入力装置４００の入力操作に基づく入力操作情報を生成することができる。より具体的には、制御部１９は、検出された変形量が第１の形状モードで採り得る所定の変形量未満の場合、入力操作情報を生成せず、変形量が第２の形状モードで採り得る所定の変形量以上の場合、入力操作情報を生成する。制御部１９は、所定の変形量以上の場合、上述の制御部３９と同様に、真の押圧力を算出し、キー入力判定を行うことができる。
なお、本実施形態においても、制御部１９は、第２の容量素子１８ｓの容量変化量を、入力操作面１１の全体的な変形量とみなして処理を行うことができる。
【０１００】
［入力装置の作用］
第１の形状モードにおいて、構造体４７１は係合部４７２に収容されている。構造体４７１は、例えばＸ軸方向に沿った長さが収容部４７３の長さよりも短く構成される。これにより、係合部４７２への切替時に構造体４７１の第２の端部４７１ｂを摘んで操作することが容易になる。
第１の形状モードから第２の形状モードへの切替時に、ユーザは、上記構造体４７１の第２の端部４７１ｂ側を摘んで構造体４７１をＸ軸方向に引っ張り直線的に維持しつつ、入力操作面１１を含む本体４０を湾曲させる。このとき、図２４に示すように直線状の構造体４７１に対して収容部４７３を含む本体４０がＺ軸方向上方に盛り上がり、構造体４７１と収容部４７３とが交差する。そして、ユーザは、第１の係合部４７２ａと第２の係合部４７２ｂとを係合し、本体４０を第２の形状モードに切り替えることができる。
上述のように、係合部４７２は、第１の係合部４７２ａが第２の端部４７１ｂから第１の距離Ｌ４１だけ進んだ位置に形成され、第２の係合部４７２ｂが第２の端部４７１ｂから第１の距離Ｌ４１よりも小さい第２の距離Ｌ４２だけ進んだ位置に形成される。これにより、平面状である第１の形状モードにおいては第１の係合部４７２ａと第２の係合部４７２ｂとがずれて配置されているが、本体４０を湾曲させることによりこれらを相互に係合することが可能となり、第２の形状モードに切り替えることができる。
【０１０１】
［本実施形態の作用効果］
以上のように、本実施形態の入力装置４００は、第１の形状モードと第２の形状モードとを切り替えることが可能に構成される。これにより、運搬時やタイピング時等、シーンによって適した構造に切替可能な入力装置４００を提供することができる。
例えば、運搬時若しくは不使用時には省スペースであることが求められるため、本体４０を第１の形状モードとすることができる。一方、タイピング時には、入力操作面１１全体が平面であるよりも、奥側が持ち上がり湾曲している方が奥側のキーにより指が届きやすくなることが知られている。これにより、タイピング時には第２の形状モードに切り替えることで、入力装置４００を、いわゆるエルゴノミクスキーボードとして用いることができる。したがって、省スペース化とタイピングしやすさとを兼ね備えた入力装置４００を提供することができる。
【０１０２】
さらに、入力装置４００は、本体４０が湾曲した第２の形状モードにおいても真の押圧力を算出することができる。これにより、第２の形状モードにおける誤動作を防止し、精度よくキー入力判定をすることができる。
【０１０３】
［変形例４−１］
変形例４−１として、収容部４７３が図示しない表示装置と接続するための端子を兼ねていてもよい。すなわち、第２の形状モードにおいて、構造体４７１と離間した収容部４７３に表示装置を差し込むことで、入力装置４００と表示装置との電気的な接続を実現し、入力装置４００と当該表示装置とによりタブレットＰＣ等の電子機器として使用することができる。当該端子は、例えばマグネット式端子として構成されてもよい。
【０１０４】
［変形例４−２］
切替部４７は、上述の構成に限定されない。
例えば第１の係合部４７２ａと第２の係合部４７２ｂとの係合位置をＸ軸方向に沿って変更可能に構成されてもよい。例えば第２の係合部４７２ｂが孔として構成される場合、係合部４７２が収容部４７３に沿って形成された複数の第２の係合部４７２ｂを有していてもよい。これにより、突起として構成される第１の係合部４７２ａを所望の位置の第２の係合部４７２ｂに係合させることが可能になる。あるいは、第２の係合部４７２ｂがマグネット等として形成される場合、第２の係合部４７２ｂは収容部４７３に沿ってＸ軸方向に延在するように構成され得る。これにより、第１の係合部４７２ａとの吸着（係合）位置を調整することが可能となる。
上記構成により、入力装置４００が、ユーザの好みや手の大きさ等に応じて第２の形状モードにおける入力操作面１１の形状を調整されることが可能に構成される。したがって、個々のユーザに対してよりタイピングしやすい入力装置４００を提供することができる。
【０１０５】
［変形例４−３］
切替部４７は、上述の第１の形状モード及び第２の形状モードに切り替えられる構成に限定されず、さらに第１及び第２の形状モードと入力操作面１１の曲率が異なる第３の形状モードに切り替えられてもよい。
この場合、制御部１９は、本体１０の変形量を、第１、第２及び第３の形状モードのいずれで採り得る変形量であるか判定することができ、間接的に形状モードの判定を行うことができる。また制御部１９は、変形例１−１０と同様にそれぞれの形状モードに応じて異なる処理を行うことができる。
例えば、制御部１９が、３つの形状モード各々において、真の押圧力に基づく打鍵判定の閾値として異なる閾値を採用することができる。また、制御部１９が、３つの形状モード各々において、打鍵時の効果音若しくは振動等を変更するようにも制御することができる。
【０１０６】
［変形例４−４］
制御部１９は、第１の形状モードにおいても入力操作情報を生成するように構成されてもよい。この場合、制御部１９は、上述のように各第１の容量素子１７ｓ及び第２の容量素子１８ｓの静電容量を周期的にスキャンしているが、形状モード毎にスキャン周期を変更してもよい。具体的に、制御部１９は、第１の形状モードにおいては第１の周期（例えば、１０回／秒）で各第１の容量素子１７ｓ及び第２の容量素子１８ｓの静電容量をスキャンし、第２の形状モードにおいては第１の周期よりも多い第２の周期（例えば、５０回／秒）でスキャンしてもよい。
これにより、入力装置４００は、入力操作面１１が平面である第１の形状モードにおいても入力操作を受け付けることができるとともに、消費電力の少ない構成とすることができる。
【０１０７】
［変形例４−５］
入力装置４００は、例えば第１の形状モードにおいて第３の実施形態と同様のタッチセンサボードとして機能し、第２の形状モードにおいてキーボード装置として機能するよう構成されてもよい。この場合、制御部１９は、第１の形状モードにおいて上述の第３の実施形態と同様の処理を行うことができる。
これにより、ユーザニーズやシーンに応じて２通りの使用形態を可能とする入力装置４００を提供することが可能となる。
【０１０８】
さらに、本技術は上述の実施形態にのみ限定されるものではなく、本開示の要旨を逸脱しない範囲内において種々変更され得る。また、上述の第１〜第４の各実施形態は、矛盾が生じない限り如何様にも組み合わされて実行され得る。
【０１０９】
［他の変形例］
上述の各実施形態においては、センサ装置が静電容量センサとして構成されると説明したが、これに限定されない。第１及び第２のセンサ部は、入力操作面の変形を検出することが可能なセンサにより実現され得る。例えば、第１及び第２のセンサ部は、それぞれ、例えば操作部材と底面板との間の距離を検出することが可能な超音波センサや、入力操作面の歪みを検出することが可能なジャイロセンサ等により実現されてもよい。
【０１１０】
なお、本技術は以下のような構成もとることができる。
（１）入力操作面と、上記入力操作面に対向する底面とを有し、変形可能なシート状の本体と、
入力操作に基づく上記入力操作面の局所的な変形を検出することが可能な第１のセンサ部と、
上記入力操作面の全体的な変形を検出ことが可能な第２のセンサ部と
を具備するセンサ装置。
（２）上記（１）に記載のセンサ装置であって、
上記本体は、上記入力操作面と上記底面との間に配置された電極層をさらに有し、
上記第１のセンサ部は、上記電極層に形成され上記入力操作面との相対距離に応じて容量が可変の第１の容量素子を有し、
上記第２のセンサ部は、上記電極層に形成され上記入力操作面との相対距離に応じて容量が可変の第２の容量素子を有する
センサ装置。
（３）上記（２）に記載のセンサ装置であって、
上記本体は、
上記電極層に対向する導体層を含み、上記入力操作面が形成された操作部材をさらに有し、
上記第１の容量素子は、上記導体層との距離の変化を静電的に検出することが可能に構成され、
上記第２の容量素子は、上記導体層との距離の変化を静電的に検出することが可能に構成される
センサ装置。
（４）上記（１）から（３）のうちいずれか１つに記載のセンサ装置であって、
上記本体は、上記底面が形成された底面板をさらに有し、
上記底面は、上記入力操作面よりも変形しにくい構成を有する
センサ装置。
（５）上記（１）から（４）のうちいずれか１つに記載のセンサ装置であって、
上記第２のセンサ部は、上記入力操作面と平行な一軸方向に延在する
センサ装置。
（６）上記（１）から（５）のうちいずれか１つに記載のセンサ装置であって、
上記入力操作面は、
上記第１のセンサ部に対応して配置された第１の領域と、
上記第２のセンサ部に対応して配置され、上記第１の領域よりも変形しにくい第２の領域とを有する
センサ装置。
（７）上記（６）に記載のセンサ装置であって、
上記第２の領域上に配置され、上記第２の領域への押圧を防止する押圧防止部をさらに具備する
センサ装置。
（８）上記（１）から（７）のうちいずれか１つに記載のセンサ装置であって、
上記本体は、上記入力操作面の曲率がそれぞれ異なる第１の形状モードと第２の形状モードとを切替可能に構成された切替部をさらに有する
センサ装置。
（９）入力操作面と、上記入力操作面に対向する底面とを有し、変形可能なシート状の本体と、
入力操作に基づく上記入力操作面の局所的な変形を検出することが可能な第１のセンサ部と、
上記入力操作面の全体的な変形を検出ことが可能な第２のセンサ部と、
上記第２のセンサ部からの出力に基づいて上記入力操作面の全体的な変形量を検出し、上記変形量と上記第１のセンサ部からの出力とに基づいて上記入力操作に関する入力操作情報を生成することが可能な制御部と
を具備する入力装置。
（１０）上記（９）に記載の入力装置であって、
上記制御部は、上記変形量が所定の変形量未満の場合、上記入力操作情報を生成し、上記変形量が上記所定の変形量以上の場合、警告を発するための信号を生成する
入力装置。
（１１）上記（９）に記載の入力装置であって、
上記制御部は、
上記変形量に基づいて上記入力操作面の全体的な変形により上記入力操作面に付加された圧力値を算出し、
上記圧力値に基づいて上記第１のセンサ部からの出力を補正し、上記入力操作面に付加された真の押圧力を算出することで上記入力操作情報を生成する
入力装置。
（１２）  入力操作面と、上記入力操作面に対向する底面とを有し、変形可能なシート状の本体と、
入力操作に基づく上記入力操作面の局所的な変形を検出することが可能な第１のセンサ部と、
上記入力操作面の全体的な変形を検出ことが可能な第２のセンサ部と、
上記第２のセンサ部からの出力に基づいて上記入力操作面の全体的な変形量を検出し、上記変形量と上記第１のセンサ部からの出力とに基づいて上記入力操作に関する情報を生成することが可能な制御部と
を有する入力装置と、
上記入力装置に接続され、上記入力操作に関する情報に基づく画像が表示されることが可能な表示装置と
を具備する電子機器。
【符号の説明】
【０１１１】
１…電子機器
１０，２０，３０，４０…本体
１１，２１，３１…入力操作面
１１ａ，２１ａ…キー領域（第１の領域）
１１ｂ，２１ｂ，３１ｂ…検出領域（第２の領域）
３１ａ…操作領域（第１の領域）
１２…底面
１３，２３，３３…操作部材
１３１，３３１…導体層
２３２…押圧防止部
１４…底面板
１５，３５…電極層
１７，３７…第１のセンサ部
１８，２８，３８…第２のセンサ部
１７ｓ，３７ｓ…第１の容量素子
１８ｓ，２８ｓ，３８ｓ…第２の容量素子
４７…切替部
１９，３９…制御部
１００，２００，３００，４００…入力装置
１１０…表示装置
１２０，２２０，３２０，４２０…センサ装置
【図１】
2016151788.tif 000003
【図２】
2016151788.tif 000004
【図３】
2016151788.tif 000005
【図４】
2016151788.tif 000006
【図５】
2016151788.tif 000007
【図６】
2016151788.tif 000008
【図７】
2016151788.tif 000009
【図８】
2016151788.tif 000010
【図９】
2016151788.tif 000011
【図１０】
2016151788.tif 000012
【図１１】
2016151788.tif 000013
【図１２】
2016151788.tif 000014
【図１３】
2016151788.tif 000015
【図１４】
2016151788.tif 000016
【図１５】
2016151788.tif 000017
【図１６】
2016151788.tif 000018
【図１７】
2016151788.tif 000019
【図１８】
2016151788.tif 000020
【図１９】
2016151788.tif 000021
【図２０】
2016151788.tif 000022
【図２１】
2016151788.tif 000023
【図２２】
2016151788.tif 000024
【図２３】
2016151788.tif 000025
【図２４】
2016151788.tif 000026